【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
下面に脚部が形成された底基台と、
前記底基台に着脱自在に取り付けられ、前側壁部を形成する前側部材と、
前記底基台の上に設けられ後側壁部を形成する後側部材と、
前記底基台の上に設けられ左右横壁部を形成する２枚の横側部材と、
前記底基台上に並べて配置され、気体が密閉された多数の密閉容器からなる緩衝部材と、
前記緩衝部材上に配置され物品が載置される載置台とを備える梱包装置において、
前記前側部材は下端を前記底基台に近接させた状態で回動可能に構成されて物品の積み降しに使用する傾斜台として使用できるものとして構成されると共に、
前記前側部材は、該前側部材と前記底基台との傾斜角度を制限する角度規制部材を備え、
前記角度規制部材は、前記前側部材から延設された部材であり、前記前側部材の回動により前記載置台の底面に接触することで前記前側部材の回動角度を制限することを特徴とすることを特徴とする梱包装置。
【請求項２】
前記前側部材が回動して傾斜台として配置されるとき、前記前側部材における回動軸側の高さは、前記載置台の高さとほぼ同一であることを特徴とする請求項１の梱包装置。
【請求項３】
前記角度規制部材は、前記前側部材の前面幅方向全域に設けられていることを特徴とする請求項１または２の梱包装置。
【請求項４】
前記前側部材を回動可能とする回動軸を前記前側部材に有し、
前記回動軸は、上下方向に移動可能なコ字状ホルダ内に装着されていることを特徴とする請求項１から３のいずれかに記載の梱包装置。
【請求項５】
被梱包物の移動に伴う前記緩衝部材の潰れにより、前記載置台は高さ方向に変位することを特徴とする請求項１から４のいずれかに記載の梱包装置。
【請求項６】
被梱包物の移動に伴う前記緩衝部材の潰れにより、前記載置台は前記角度規制部材の上面を下方に押圧され、前記前側部材が回動することで前側部材と前記載置台との高さがほぼ同一に設定されることを特徴とする請求項１から４のいずれかに記載の梱包装置。
【請求項７】
前記緩衝部材は、容器の胴部同士を向き合うようにして前記基台上に敷き詰められていることを特徴とする請求項１から６のいずれかに記載の梱包装置。
【請求項８】
前記前側部材の表面には、その一端を回動自在に前記前側部材に取り付けられ、前記前側部材が回動して傾斜台として配置されるとき、他端が地面に接触する接触部材が設けられていることを特徴とする請求項１の梱包装置。
【請求項９】
前記接触部材は、前記前側部材の取手部材であることを特徴とする請求項８の梱包装置。
【請求項１０】
前記取手部材は、前記前側部材の表面に沿ってスライド可能に設けられた摺動部材と、前記棒状部材が差し込まれる係止部材とを備えたロック装置と、
前記ロック装置のロック状態及びアンロック状態を保持する保持手段を備えたことを特徴とする請求項９の梱包装置。
【手続補正２】
【補正対象書類名】明細書
【補正対象項目名】発明の名称
【補正方法】変更
【補正の内容】
【発明の名称】梱包装置
【手続補正３】
【補正対象書類名】明細書
【補正対象項目名】０００１
【補正方法】変更
【補正の内容】
【０００１】
本発明は梱包装置及び緩衝体に係り、特に物品を底基台に載置し、底基台の前後左右に側部材、上部に天井部材を配置した梱包装置に関する。
【手続補正４】
【補正対象書類名】明細書
【補正対象項目名】００１６
【補正方法】変更
【補正の内容】
【００１６】
請求項１の発明は、下面に脚部が形成された底基台と、前記底基台に着脱自在に取り付けられ、前側壁部を形成する前側部材と、前記底基台の上に設けられ後側壁部を形成する後側部材と、前記底基台の上に設けられ左右横壁部を形成する２枚の横側部材と、前記底基台上に並べて配置され、気体が密閉された多数の密閉容器からなる緩衝部材と、前記緩衝部材上に配置され物品が載置される載置台とを備える梱包装置において、前記前側部材は下端を前記底基台に近接させた状態で回動可能に構成されて物品の積み降しに使用する傾斜台として使用できるものとして構成されると共に、前記前側部材は、該前側部材と前記底基台との傾斜角度を制限する角度規制部材を備え、前記角度規制部材は、前記前側部材から延設された部材であり、前記前側部材の回動により前記載置台の底面に接触することで前記前側部材の回動角度を制限することを特徴とすることを特徴とする梱包装置である。
【手続補正５】
【補正対象書類名】明細書
【補正対象項目名】００１７
【補正方法】変更
【補正の内容】
【００１７】
請求項２の発明は、請求項１の梱包装置において、前記前側部材が回動して傾斜台として配置されるとき、前記前側部材における回動軸側の高さは、前記載置台の高さとほぼ同一であることを特徴とする。
【手続補正６】
【補正対象書類名】明細書
【補正対象項目名】００１８
【補正方法】変更
【補正の内容】
【００１８】
請求項３の発明は、請求項１または２の梱包装置において、前記角度規制部材は、前記前側部材の前面幅方向全域に設けられていることを特徴とする。
【手続補正７】
【補正対象書類名】明細書
【補正対象項目名】００１９
【補正方法】変更
【補正の内容】
【００１９】
請求項４の発明は、請求項１から３のいずれかに記載の梱包装置において、前記前側部材を回動可能とする回動軸を前記前側部材に有し、前記回動軸は、上下方向に移動可能なコ字状ホルダ内に装着されていることを特徴とする。
【手続補正８】
【補正対象書類名】明細書
【補正対象項目名】００２０
【補正方法】変更
【補正の内容】
【００２０】
請求項５の発明は、請求項１から４のいずれかに記載の梱包装置において、被梱包物の移動に伴う前記緩衝部材の潰れにより、前記載置台は高さ方向に変位することを特徴とする。
【手続補正９】
【補正対象書類名】明細書
【補正対象項目名】００２１
【補正方法】変更
【補正の内容】
【００２１】
請求項６の発明は、請求項１から４のいずれかに記載の梱包装置において、被梱包物の移動に伴う前記緩衝部材の潰れにより、前記載置台は前記角度規制部材の上面を下方に押圧され、前記前側部材が回動することで前側部材と前記載置台との高さがほぼ同一に設定されることを特徴とする。
【手続補正１０】
【補正対象書類名】明細書
【補正対象項目名】００２２
【補正方法】変更
【補正の内容】
【００２２】
請求項７の発明は、請求項１から６のいずれかに記載の梱包装置において、前記緩衝部材は、容器の胴部同士を向き合うようにして前記基台上に敷き詰められていることを特徴とする。
【手続補正１１】
【補正対象書類名】明細書
【補正対象項目名】００２３
【補正方法】変更
【補正の内容】
【００２３】
請求項８の発明は、請求項１の梱包装置において、前記前側部材の表面には、その一端を回動自在に前記前側部材に取り付けられ、前記前側部材が回動して傾斜台として配置されるとき、他端が地面に接触する接触部材が設けられていることを特徴とする。
【手続補正１２】
【補正対象書類名】明細書
【補正対象項目名】００２４
【補正方法】変更
【補正の内容】
【００２４】
請求項９の発明は、請求項８の梱包装置において、前記接触部材は、前記前側部材の取手部材であることを特徴とする。
【手続補正１３】
【補正対象書類名】明細書
【補正対象項目名】００２５
【補正方法】変更
【補正の内容】
【００２５】
請求項１０の発明は、請求項９の梱包装置において、前記取手部材は、前記前側部材の表面に沿ってスライド可能に設けられた摺動部材と、前記棒状部材が差し込まれる係止部材とを備えたロック装置と、前記ロック装置のロック状態及びアンロック状態を保持する保持手段を備えたことを特徴とする。